(57)【要約】【課題】本発明は、気体中に含まれる油分等の不純物を除去することができ、コンパクトで取り扱いが容易な気体浄化装置を提供することを目的とする。【解決手段】本発明の気体浄化装置は、第一の筒状部材と吸気筒との間に液体を貯留する浄化装置本体と、浄化装置本体内に同心状に配設されて、吸気筒内と第一の空間を連通させるとともに、第一の筒状部材の底部側に形成される開口を介して第一の空間と第二の空間を連通させる案内部材と、多数の小孔を有するバブリング部材と、を備え、第二の空間を周方向に複数の領域に仕切る仕切部材をさらに備え、前記第二の空間は、前記第一の筒状部材の底部側に形成される開口を介して前記第一の空間と連通する浄化領域と、前記開口よりも高さの低い開口を介して前記第一の空間及び／又は前記浄化領域と連通する非浄化領域に区画されるとともに、前記浄化領域に前記バブリング部材が配設される。【選択図】図１１
2014144385.tif 000002
【特許請求の範囲】
【請求項１】
底部を有する第一の筒状部材、及び前記底部の中央に立設され該底部の中央に形成される開口から気体を吸入する吸気筒を有し、前記第一の筒状部材と前記吸気筒との間に液体を貯留する浄化装置本体と、
頂部を有する第二の筒状部材であって、前記浄化装置本体内に同心状に配設されて、前記吸気筒との間に第一の空間、前記第一の筒状部材との間に第二の空間をそれぞれ形成し、前記吸気筒上端との間に形成される空間を介して前記吸気筒内と前記第一の空間を連通させるとともに、前記第一の筒状部材の底部側に形成される開口を介して前記第一の空間と前記第二の空間を連通させる案内部材と、
多数の小孔を有する板状部材であって、前記第二の空間内に配設されるバブリング部材と、を備える気体浄化装置であって、
前記第二の空間を周方向に複数の領域に仕切る仕切部材をさらに備え、
前記第二の空間は、前記第一の筒状部材の底部側に形成される開口を介して前記第一の空間と連通する浄化領域と、前記第一の空間と前記浄化領域とを連通させる開口よりも高さの低い開口を介して前記第一の空間及び／又は前記浄化領域と連通する非浄化領域に区画されるとともに、前記浄化領域に前記バブリング部材が配設されてなり、
前記浄化装置本体内に上方から作用する負圧により、前記吸気筒から気体を吸入し、該吸入した気体を前記第一の空間において前記液体中に導入し、該液体中に導入した気体を前記第一の空間と前記第二の空間を連通させる開口から前記第二の空間の浄化領域に移動させ、前記第二の空間の浄化領域に移動した気体を、前記液体中において前記バブリング部材の小孔を通過させ、バブリングさせて浄化する気体浄化装置。
【請求項２】
中央に開口が形成されるとともに外周側に給液部が形成される頂部、及び前記頂部中央の下方に設けられる筒状の気液分離部を有し、前記気液分離部の下端が前記案内部材の頂部上面に当接するとともに前記給液部が前記第二の空間の非浄化領域に位置する状態で前記浄化装置本体内に同心状に配設されて、前記頂部により前記第一の筒状部材の上部開口を閉鎖する蓋部材、をさらに備え、
前記浄化した気体を、前記蓋部材の気液分離部を通過させ、液体と分離して前記蓋部材の頂部中央に形成される開口から外部へ排出する一方、前記給液部から前記非浄化領域に液体を給液する請求項１記載の気体浄化装置。
【請求項３】
前記給液部は、前記気液分離部の外周に沿って形成され、給液用の液体を貯留する給液用凹部からなる請求項２記載の気体浄化装置。
【請求項４】
前記非浄化領域に液位検知手段を設け、該液位検知手段による液位の検知に基づいて、前記第二の空間内における液体の液位が前記バブリング部材よりも上方位置となるよう前記非浄化領域に前記液体を給液する請求項１乃至３の何れか一項記載の気体浄化装置。
【請求項５】
前記蓋部材の気液分離部は、前記頂部下面に対し下向きに筒状に配設される複数の板状部材を有し、隣接する前記板状部材間に間隙を形成してなり、同心状に複数列をなすとともに当該各列内の隣接する板状部材間の間隙が平面視において千鳥状の配置となるよう前記板状部材を配設したものであって、
前記板状部材は、平面視においてＶ字形断面であり、内側の列においてはＶ字が外側に開き、外側の列においてはＶ字が内側に開く向きで二列に配設される請求項２乃至４の何れか一項記載の気体浄化装置。
【請求項６】
前記案内部材の頂部上面に、当該案内部材の外方向に向けて下向きに傾斜する傾斜部を設け、前記気液分離部を通過した液体であって前記案内部材の頂部上面に付着する液体を前記外方向に向けて移動させ、前記第二の空間に還流させる請求項２乃至５の何れか一項記載の気体浄化装置。
【請求項７】
前記第一の空間と前記第二の空間を連通させる開口は、前記案内部材と前記第一の筒状部材の底部との間に形成される請求項１乃至６の何れか一項記載の気体浄化装置。
【請求項８】
排気ダクトと、装着枠と、を備える気体浄化システムであって、
前記装着枠は、開口を有する底板、前記請求項１乃至７の何れかに記載の気体浄化装置を着脱自在に装着可能とする開口を有する側板、前記排気ダクトに連通する開口を有する天板、を有してなり、
前記装着枠に前記何れかの気体浄化装置を装着し、前記排気ダクト側から前記気体浄化装置内に負圧を作用させることで、前記装着枠の底板の開口を通して前記気体浄化装置内へ気体を吸入し、前記気体浄化装置内で浄化した気体を、前記装着枠の天板の開口を通して前記排気ダクトから排出する気体浄化システム。
【発明の詳細な説明】
【技術分野】
【０００１】
本発明は、油分等の不純物を含む気体を清浄化する気体浄化装置及び該気体浄化装置を利用する気体浄化システムに関する。
【背景技術】
【０００２】
従来、油分等の不純物を含む排煙、例えばフライ食品調理器（フライヤー）等の厨房設備から発生する油煙等を捕集して屋外に排出する装置が知られている。
ところが、当該装置は、排煙中に含まれる気化した油分や塵埃等の不純物が、フードや排気ダクト内等に大量に付着し、不衛生であるとともに火災時の延焼を引き起こす原因となる問題がある。
また、当該装置は、排煙を直接屋外に排出するため、臭気が拡散し、周囲の環境を汚染する問題がある。
【０００３】
そこで、排煙中に含まれる油分等の不純物を除去する装置が提案されている（特許文献１，２参照。）。
【０００４】
特許文献１には、排気用ファンを備えた排気ダクトに連通すると共に周囲に対して閉鎖空間を形成している筒状枠と、この筒状枠の底部を構成する穴あきプレートと、この穴あきプレートの下側に配置した液槽と、上記筒状枠から液槽内へ向かって上記穴あきプレートの配置位置よりも下方へ延伸し、液槽内へ進入しているバッフルプレートとを有し、このバッフルプレートの下縁が液槽に入れられた液体の内部に浸漬するか或いは液面に略接触する程度にバッフルプレートの位置調節を行うと共に穴あきプレートとバッフルプレートと液面との間で閉鎖空間を形成する排気装置が記載されている。
【０００５】
また、上記特許文献１には、前記排気用ファンを作動して筒状枠内閉鎖空間に負圧を発生させると共にこの負圧を穴あきプレートを介して穴あきプレート下部閉鎖空間に及ぼし、この負圧によってバッフルプレート内側の液槽内液位を上昇させると共に、バッフルプレート下縁を通して筒状枠周囲の排煙をバッフルプレート内部へ引き込み、引き込まれ且つ筒状枠内閉鎖空間へ吸引される排煙流によりバッフルプレート内側の液体の泡立ちを発生させ、泡立って飛散する液滴を筒状枠内閉鎖空間内の負圧によって穴あきプレートの穴を通して穴あきプレートの上部へ引き上げて穴あきプレート上に液体の層をもたらし、同時に穴あきプレートの穴を通して吸引される排煙を穴あきプレート上の液体内を潜らせ、その際、排煙流によって液体の泡立ちを発生させながら液体との積極的な接触をもたらし、この接触により排煙から油脂分を取り除き、浄化排気を排気ダクトへ送ること、が記載されている。
【０００６】
上記特許文献１に記載された装置によれば、排煙中に含まれる油脂分等をある程度除去することが期待できる。
しかしながら、上記特許文献１に記載された装置は、排煙がバッフルプレートの下縁を通過する際に液体を押しのけ液柱を吹き上げることになり、排煙と液体との接触面積が少なくなる。
【０００７】
また、上記特許文献１に記載された装置は、前記排煙流の働きによって前記液槽内の液体が前記穴あきプレート上に揚液されることとなるが、前記穴あきプレート上における液層の分布は一様でなく、排煙の経路が偏りを生じ易いため、前記穴あきプレート上における液体の泡立ちの発生が不十分であり、排煙と液体との接触面積も十分といえるものではない。
【０００８】
したがって、上記特許文献１に記載された装置は、排煙中に含まれる油脂分等を十分に除去することができず、該油脂分等がガラリや前記筒状枠内面に付着するため、これらを洗い落とすための洗浄ノズルを設ける必要があり、装置の構造が複雑化する問題がある。
【０００９】
一方、特許文献２には、汚染空気が導入される吸気室と下端が連通口で連通されたバブル室を設け、連通口に沿ってバブル室側に突出して空気誘導板を設け、空気誘導板の上方に多数の小孔を有するバブリング板部材を設けてなる空気浄化装置が記載されている。
【００１０】
特許文献２に記載された装置は、汚染空気が水を通過する際にバブル室で水柱を吹き上げることがない。また、特許文献２に記載された装置は、水中に位置するバブリング板部材の全面から多数の小径の気泡を発生させると同時に、水を微細化して霧状に飛散させることで、前記汚染空気と水の接触面積を増大させることができ、汚染空気中に含まれる油分等の不純物を除去するとともに、装置の汚損を抑制することができる。
【００１１】
しかしながら、特許文献２に記載された装置は、箱状体の浄化槽を備え、該浄化槽に前記吸気室とバブル室等を二槽以上の構造で並べて配置するものであり、装置全体が大型化する問題がある。
【００１２】
【特許文献１】特開２００２−１２６４３３号公報
【特許文献２】特許第４３３６８９０号公報
【発明の概要】
【発明が解決しようとする課題】
【００１３】
そこで、本発明は、気体中に含まれる油分等の不純物を除去することができ、コンパクトで取り扱いが容易な気体浄化装置を提供することを目的とする。
また、本発明は、気体中に含まれる油分等の不純物を除去することができ、コンパクトで取り扱いが容易な気体浄化装置を利用する気体浄化システムを提供することを目的とする。
【課題を解決するための手段】
【００１４】
上記目的を達成するため、本発明は、
底部を有する第一の筒状部材、及び前記底部の中央に立設され該底部の中央に形成される開口から気体を吸入する吸気筒を有し、前記第一の筒状部材と前記吸気筒との間に液体を貯留する浄化装置本体と、
頂部を有する第二の筒状部材であって、前記浄化装置本体内に同心状に配設されて、前記吸気筒との間に第一の空間、前記第一の筒状部材との間に第二の空間をそれぞれ形成し、前記吸気筒上端との間に形成される空間を介して前記吸気筒内と前記第一の空間を連通させるとともに、前記第一の筒状部材の底部側に形成される開口を介して前記第一の空間と前記第二の空間を連通させる案内部材と、
多数の小孔を有する板状部材であって、前記第二の空間内に配設されるバブリング部材と、を備える気体浄化装置であって、
前記第二の空間を周方向に複数の領域に仕切る仕切部材をさらに備え、
前記第二の空間は、前記第一の筒状部材の底部側に形成される開口を介して前記第一の空間と連通する浄化領域と、前記第一の空間と前記浄化領域とを連通させる開口よりも高さの低い開口を介して前記第一の空間及び／又は前記浄化領域と連通する非浄化領域に区画されるとともに、前記浄化領域に前記バブリング部材が配設されてなり、
前記浄化装置本体内に上方から作用する負圧により、前記吸気筒から気体を吸入し、該吸入した気体を前記第一の空間において前記液体中に導入し、該液体中に導入した気体を前記第一の空間と前記第二の空間を連通させる開口から前記第二の空間の浄化領域に移動させ、前記第二の空間の浄化領域に移動した気体を、前記液体中において前記バブリング部材の小孔を通過させ、バブリングさせて浄化するものである。
ここで、前記第一の空間と前記浄化領域とを連通させる開口よりも高さの低い開口とは、当該開口における最上部の高さ位置が、前記第一の空間と前記浄化領域とを連通させる開口における最上部の高さ位置よりも低い開口を意味する。
【００１５】
本発明の気体浄化装置は、中央に開口が形成されるとともに液体供給源から液体が供給される給液部が外周側に形成される頂部、及び前記頂部中央の下方に設けられる筒状の気液分離部を有し、前記気液分離部の下端が前記案内部材の頂部上面に当接するとともに前記給液部が前記第二の空間の非浄化領域に位置する状態で前記浄化装置本体内に同心状に配設されて、前記頂部により前記第一の筒状部材の上部開口を閉鎖する蓋部材、をさらに備え、
前記浄化した気体を、前記蓋部材の気液分離部を通過させ、液体と分離して前記蓋部材の頂部中央に形成される開口から外部へ排出する一方、前記給液部から前記非浄化領域に液体を給液することが好ましい。
【００１６】
本発明の気体浄化装置は、前記給液部が、前記気液分離部の外周に沿って形成され、給液用の液体を貯留する給液用凹部からなることが好ましい。
【００１７】
本発明の気体浄化装置は、前記非浄化領域に液位検知手段を設け、該液位検知手段による液位の検知に基づいて、前記第二の空間内における液体の液位が前記バブリング部材よりも上方位置となるよう前記非浄化領域に前記液体を給液することが好ましい。
【００１８】
本発明の気体浄化装置は、前記蓋部材の気液分離部が、前記頂部下面に対し下向きに筒状に配設される複数の板状部材を有し、隣接する前記板状部材間に間隙を形成してなり、同心状に複数列をなすとともに当該各列内の隣接する板状部材間の間隙が平面視において千鳥状の配置となるよう前記板状部材を配設したものであって、
前記板状部材は、平面視においてＶ字形断面であり、内側の列においてはＶ字が外側に開き、外側の列においてはＶ字が内側に開く向きで二列に配設されることが好ましい。
【００１９】
本発明の気体浄化装置は、前記案内部材の頂部上面に、当該案内部材の外方向に向けて下向きに傾斜する傾斜部を設け、前記気液分離部を通過した液体であって前記案内部材の頂部上面に付着する液体を前記外方向に向けて移動させ、前記第二の空間に還流させることが好ましい。
【００２０】
本発明の気体浄化装置は、前記第一の空間と前記第二の空間を連通させる開口が、前記案内部材と前記第一の筒状部材の底部との間に形成される開口であることが好ましい。
【００２１】
また、上記目的を達成するため、本発明は、排気ダクトと、装着枠と、を備える気体浄化システムであって、
前記装着枠は、開口を有する底板、前記何れかに記載の気体浄化装置を着脱自在に装着可能とする開口を有する側板、前記排気ダクトに連通する開口を有する天板、を有してなり、
前記装着枠に前記何れかの気体浄化装置を装着し、前記排気ダクト側から前記気体浄化装置内に負圧を作用させることで、前記装着枠の底板の開口を通して前記気体浄化装置内へ気体を吸入し、前記気体浄化装置内で浄化した気体を、前記装着枠の天板の開口を通して前記排気ダクトから排出するものである。
【発明の効果】
【００２２】
本発明の気体浄化装置によれば、浄化装置本体内に上方から作用する負圧により、吸気筒から気体を吸入し、該吸入した気体を第一の空間において液体中に導入し、該液体中に導入した気体を第二の空間の浄化領域に移動させるので、前記気体が前記第二の空間の浄化領域を底部から気泡状となって上昇する。そして、該気泡状となって上昇する気体を、前記液体中においてバブリング部材の小孔を通過させてバブリングさせるので、前記バブリング部材の全面から小径の気泡が激しく大量に発生し、同時に微細化された液体が霧状に飛散する。
したがって、本発明の気体浄化装置によれば、前記気体と液体との接触面積を増大させることができ、前記気体中に含まれる油分等の不純物を十分に除去することができる。
【００２３】
また、本発明の気体浄化装置は、浄化装置本体の上部開口から案内部材とバブリング部材を、同心状に配設するものであるため、組立や分解を簡単に行うことができ、コンパクトで取り扱いが容易である。
【００２４】
さらに、本発明の気体浄化装置は、前記第二の空間を周方向に複数の領域に仕切る仕切部材をさらに備え、前記第二の空間が、前記第一の筒状部材の底部側に形成される開口を介して前記第一の空間と連通する浄化領域と、前記第一の空間と前記浄化領域とを連通させる開口よりも高さの低い開口を介して前記第一の空間及び／又は前記浄化領域と連通する非浄化領域に区画されるとともに、前記浄化領域に前記バブリング部材が配設されてなるので、気体の浄化中でも前記非浄化領域において前記第二の空間内における液体の液位を確認することができる。
【００２５】
本発明の気体浄化装置は、前記浄化した気体を、蓋部材の気液分離部を通過させ、液体と分離して外部へ排出することとすれば、油分等の不純物を含む液体が前記浄化した気体とともに外部へ排出されることを防ぐことができる。
また、本発明の気体浄化装置は、浄化装置本体の上部開口から案内部材、バブリング部材、及び蓋部材を、同心状に配設するものであるため、組立や分解を簡単に行うことができ、コンパクトで取り扱いが容易である。
さらに、本発明の気体浄化装置は、液体供給源から液体が供給される前記蓋部材の給液部から前記第二の空間の非浄化領域に液体を給液することとすれば、気体の浄化中において前記第二の空間内に給液を行うことができる。
【００２６】
本発明の気体浄化装置は、前記非浄化領域に液位検知手段を設け、該液位検知手段による液位の検知に基づいて、前記第二の空間内における液体の液位が前記バブリング部材よりも上方位置となるよう前記非浄化領域に前記液体を給液することとすれば、前記第二の空間の浄化領域に移動した気体を、確実に前記液体中で前記バブリング部材の小孔を通過させてバブリングさせることができる。
【００２７】
本発明の気体浄化装置は、前記蓋部材の気液分離部が、前記頂部下面に対し下向きに筒状に配設される複数の板状部材を有し、隣接する前記板状部材間に間隙を形成してなり、同心状に複数列をなすとともに当該各列内の隣接する板状部材間の間隙が平面視において千鳥状の配置となるよう前記板状部材を配設したものであって、
前記板状部材は、平面視においてＶ字形断面であり、内側の列においてはＶ字が外側に開き、外側の列においてはＶ字が内側に開く向きで二列に配設されることとすれば、前記浄化した気体が前記板状部材に衝突し、該板状部材を迂回しながらジグザグ状の通路を通過することとなるため、前記気体中に含まれる油分等の不純物が外部へ排出されることを防ぐ効果を高めることができる。
【００２８】
本発明の気体浄化装置は、前記案内部材の頂部上面に、当該案内部材の外方向に向けて下向きに傾斜する傾斜部を設けることとすれば、前記気液分離部を通過した液体であって前記案内部材の頂部上面に落下し付着する液体を、前記第二の空間に還流させることができる。
【００２９】
本発明の気体浄化システムは、前記本発明の気体浄化装置を着脱自在に装着可能とする装着枠を備え、当該装着枠に前記気体浄化装置を装着することで、気体中に含まれる油分等の不純物を十分に除去することができる。
また、本発明の気体浄化システムは、前記気体浄化装置がコンパクトで取り扱いが容易であるため、該気体浄化装置が汚染された場合に簡単に交換することができる。
【００３０】
本発明の気体浄化システムは、前記本発明の気体浄化装置を装着して使用するので、気体の浄化中でも前記非浄化領域において前記第二の空間内における液体の液位を確認することができる。
また、本発明の気体浄化システムは、前記気体浄化装置の前記第二の空間における非浄化領域に液位検知手段を設けることとすれば、前記第二の空間内に自動で給液できるため、給液のためのメンテナンスを行う必要がない。
【図面の簡単な説明】
【００３１】
【図１】本発明の実施の形態における気体浄化装置の平面図。
【図２】図１のＡ−Ａ断面図。
【図３】図２に示す案内部材を他の角度から見た断面図。
【図４】図２に示す蓋部材の拡大断面図。
【図５】図４のＣ−Ｃ断面図。
【図６】図２において汚染された気体を浄化する様子の説明図。
【図７】図２に示す気体浄化装置の分解図。
【図８】図１のＢ−Ｂ断面図。
【図９】図８のＤ−Ｄ断面図。
【図１０】図８のＥ−Ｅ断面図。
【図１１】図８において汚染された気体を浄化する様子の説明図。
【図１２】本発明の実施の形態における気体浄化装置の変形例の説明図。
【図１３】本発明の実施の形態における気体浄化装置を使用する空気浄化システムの概念図。
【発明を実施するための形態】
【００３２】
本発明の実施の形態を図面を参照しながら説明する。
図１は、本発明の実施の形態における気体浄化装置の平面図を示す。
図１に示すように、本発明の実施の形態における気体浄化装置は平面視において円形をなす。
図２は、図１のＡ−Ａ断面図を示す。また、図３は図２における案内部材を他の角度から見た断面図を示す。
図２に示すように、本発明の実施の形態における気体浄化装置１は、浄化装置本体２、案内部材３、バブリング部材４及び蓋部材５を備える。
【００３３】
前記浄化装置本体２は、底部２２を有する円筒状の外枠２１と、前記底部２２の中央に立設され、該底部２２中央に形成される開口から気体を吸入する円筒状の吸気筒２３を有する。
ここで、該浄化装置本体２は、透明な耐熱性樹脂材により形成される。
【００３４】
前記案内部材３は、頂部３２を有する円筒状の案内枠３１を有し、前記頂部３２の上面は円錐形状、前記頂部３２の下面は逆すり鉢形状とされ、前記案内枠３１の下端には切り欠き３３が形成される。また、図３に示すように、前記切り欠き３３の間に位置する案内枠３１の外面には、前記バブリング部材４を支持する支持部３４が形成される。
該案内部材３は、前記案内枠３１が前記外枠２１と吸気筒２３との間に位置するよう前記浄化装置本体２の底部２２上に同心状に配設され、前記吸気筒２３との間に第一の空間３５、前記外枠２１との間に第二の空間３６をそれぞれ形成する。また、前記吸気筒２３内と前記第一の空間３５は、前記頂部３２下面と前記吸気筒２３上端との間に形成される空間を介して連通し、前記第一の空間３５と前記第二の空間３６は、前記切り欠き３３と前記底部２２との間に形成される開口３７を介して連通する。
【００３５】
前記バブリング部材４は、多数の小孔４３を有する二枚の板状部材４１，４２を有する。
前記二枚の板状部材４１，４２は、図示しないスペーサ等により上下に所定の間隔を空けて一体にねじ止めされる。
該バブリング部材４は、前記案内部材３に形成される支持部３４上にねじ等により着脱可能に取り付けられ、前記第二の空間３６内に略水平に配設される。
【００３６】
ここで、本実施の形態において、前記バブリング部材４には、二枚の板状部材４１，４２からなる二層構造のものを用いたが、前記バブリング部材４は一層でもよく、また三層以上の構造でもよい。
【００３７】
なお、前記バブリング部材４は、前記案内部材３に代えて前記浄化装置本体２の外枠２１内面に対し着脱可能に取り付けられることとすることもできる。
また、前記バブリング部材４は、前記案内部材３に形成される支持部３４上に載置され、ねじ等により固定されることなく、前記第二の空間３６内に略水平に配設されてもよい。その場合、前記案内枠３１の外周面に対し単数のストッパ又は前記案内枠３１の外周面周方向に対し複数のストッパを設けることで、前記バブリング部材４の上下方向の移動量を規制することができる。そして、前記ストッパには、例えばねじ等の着脱可能な部材を用いることができる。
【００３８】
図２に示す気体浄化装置において、前記蓋部材５は、中央に開口が形成される頂部５１と、前記頂部５１中央の下方に設けられる円筒状の気液分離部５２を有する。
前記蓋部材５は、前記気液分離部５２の下端が前記案内部材３の頂部３２上面に載置される状態で前記浄化装置本体２内に同心円状に配設され、前記頂部５１により前記外枠２１の上部開口を閉鎖する。
【００３９】
図４は、図２における蓋部材５の拡大断面図を示す。
前記気液分離部５２は、前記案内部材３の頂部３２上面に当接する環状部材５６と、前記蓋部材５の頂部５１下面と前記環状部材５６の上面を連結する複数の板状部材５５を有している。
前記複数の板状部材５５は、前記頂部５１下面に対し下向きに円筒状に配設されて、隣接する板状部材５５，５５間に間隙Ｇを形成してなる。また、前記環状部材５６下面には段部が形成されている。
ここで、前記蓋部材５を構成する前記頂部５１、前記板状部材５５、前記環状部材５６は、一部材により成形されるものでもよいし、別部材を一体に連結されるものでもよい。
【００４０】
さらに、前記蓋部材５の頂部５１下面であって、前記気液分離部５２の内側には、前記板状部材５５を伝って上昇する液体が前記蓋部材５の頂部５１中央に形成される開口から外部へ漏出することを防止する液体漏出防止部５４が形成されている。
【００４１】
図５は、図４のＣ−Ｃ断面図を示す。
前記気液分離部５２における各板状部材５５は断面Ｖ字形であって、内側の列においてはＶ字が外側に開き、外側の列においてはＶ字が内側に開く向きで二列に配設されている。
また、前記各列の隣接する板状部材５５，５５間にはそれぞれ間隙Ｇが形成されており、前記各板状部材５５は、前記各列の間隙Ｇが平面視において千鳥状の配置となるように配設され、外側から内側に向けてジグザグ状の通路を形成している。
なお、前記蓋部材５の外周側には、前記気液分離部５２の外周に沿って、後述する給液用凹部５７が形成されている。
【００４２】
図６は、図２において汚染された気体を浄化する様子の説明図であって、矢印は気体の流れを示す。なお、図６は図２と同じ方向から見た断面図であり、ここでは符号の記載を省略する。
まず、本発明の実施の形態における気体浄化装置１において、前記浄化装置本体２の外枠２１と吸気筒２３との間に所定量の液体Ｌを貯留する。
次に、図示しないファン等の駆動により、気体浄化装置１の上方から前記蓋部材５の頂部５１に形成される開口を介して前記浄化装置本体２内に負圧を作用させ、該浄化装置本体２の底部２２に形成される開口を通して前記吸気筒２３から汚染された気体を吸入する。
【００４３】
前記吸気筒２３から吸入された気体は、前記案内部材３の頂部５２における逆すり鉢形状の下面により前記第一の空間３５に案内され、該第一の空間３５内において前記液体中に導入される。
そして、前記液体中に導入された気体は、気泡状となって前記開口３７から前記第二の空間３６に移動する。
【００４４】
該第二の空間３６に移動した気泡状の気体は、底部から液体中を上昇し、該液体中に位置する前記バブリング部材４の二枚の板状部材４１，４２の小孔４３，４３を順次通過する。
このとき、図示するように、当該気体浄化装置１は、前記板状部材４１，４２の全面から小径の気泡を激しく大量に発生させ、同時に微細化された液体を霧状に飛散させるため、前記汚染された気体と水の接触面積を増大させる（接触を密にする）ことができ、前記気体中に含まれる油分等の不純物を十分に除去することができる。
【００４５】
前記バブリング部材４を通過して油分等の不純物が除去され、浄化された気体は、前記第二の空間３６を上昇した後、前記蓋部材５の気液分離部５２を構成する板状部材５５に衝突し、また前記各板状部材５５を迂回しながらジグザグ状の通路を通過して、前記蓋部材５の頂部５１中央に形成される開口から外部へ排出される。
このとき、前記バブリング部材４の通過に伴い飛散した、油分等の不純物を含む液体は、前記各板状部材５５に付着することとなるため、浄化された気体とともに外部へ排出されることを防ぐことができる。
【００４６】
また、図２及び図６に示すように、当該気体浄化装置１は、前記案内部材３の頂部３２上面を円錐形状に形成するものである。
図２及び図６に示す気体浄化装置において、油分等の不純物を含む液体が、気液分離部５２を通過した場合、前記液体の大部分は前記案内部材３の頂部３２上面に落下し付着することとなるが、前記案内部材３の頂部３２上面を円錐形状とすることで、前記液体は前記案内部材３の頂部３２上面を外周方向へ移動する。
【００４７】
そして、当該気体浄化装置１は、前記気液分離部５２を構成する環状部材５６の下面に段部が形成されており、当該環状部材５６の下端面が前記案内部材３の頂部３２上面に当接する状態で蓋部材５が配設されるため、ファン等の駆動により浄化装置本体２内に上方から作用する負圧によって、前記環状部材５６の下端面が前記案内部材３の頂部３２上面から僅かに浮き上がり、前記液体は前記僅かな隙間から前記バブリング部材４が配設される第二の空間へ還流する。
なお、前記環状部材５６の下端面、又は前記環状部材５６の下端面と当接する前記案内部材３の頂部３２上面に、前記案内部材３の頂部３２上方の空間と第二の空間とを連通する溝を形成しておけば、前記液体の還流を確実なものとすることができる。
【００４８】
図２及び図６に示す気体浄化装置１では、案内部材３の頂部３２上面を円錐形状に形成したが、前記頂部３２上面の形状はこれに限るものでなく、前記気液分離部５２を通過して前記案内部材３の頂部３２上面に落下し付着する液体を、該案内部材３の頂部３２上面を伝って外周方向へ移動させる傾斜部を有するものであれば、任意の形状とすることができる。
なお、前記案内部材３の頂部３２上面を平坦に形成し、該平坦な頂部３２上面に円錐形状等の別部材を配置することで前記傾斜部を有するものとしてもよいことはいうまでもない。
【００４９】
また、本発明の実施の形態における気体浄化装置は、前記案内部材３の頂部３２上面を平坦に形成した場合、前記円錐形状等の別部材を配置することに代えて、前記平坦な面に液体還流用の溝を形成することができる。その場合、前記溝は、前記頂部上面の中心から外周に向けて徐々に深くなるよう形成すればよく、必要に応じて放射状に複数形成してもよい。
このように、前記案内部材３の頂部３２上面における平坦な面に液体還流用の溝を形成する場合でも、前記蓋部材５の気液分離部５２を通過した液体を、前記バブリング部材４が配設される第二の空間へ還流させることができる。
【００５０】
上記本実施の形態において、蓋部材５の気液分離部５２における各板状部材５５は、円筒形状に二列に配設することとしたが、一列又は三列以上に配設することもできる。
また、本実施の形態において、前記板状部材５５とは、断面Ｖ字形の板状部材に加え、単なる平板部材、及び角材など厚みのある棒状部材をも含むものである。
さらに、前記気液分離部５２において、環状部材５６は必須の部材ではない。前記環境部材５６を省略する場合、蓋部材５は、前記板状部材５５の下端が前記案内部材３の頂部３２上面に載置される状態で前記浄化装置本体２内に同心円状に配設されるため、前記案内部材３の頂部３２上方の空間から第二の空間への液体の還流が確実に行われる。
【００５１】
本実施の形態において、前記気液分離部５２における各板状部材５５の形状、配置及び間隙等は、浄化された気体の排出量と、油分等の不純物を含む液体の外部への排出防止効果を考慮して決定すればよい。
また、本実施の形態において、前記気液分離部５２における板状部材５５は、必ずしも前記蓋部材５の頂部５１下面に対し垂直に設けられる必要はない。
【００５２】
なお、本実施の形態において、前記蓋部材５の気液分離部５２の構成は上記に限定されるものでなく、例えば、頂部５１の中央から垂設されて、周面に多数の孔が形成される円筒状部材とすることもできる。
【００５３】
図７は、図２に示す気体浄化装置の分解図を示す。
本発明の実施の形態における気体浄化装置は、前記浄化装置本体２内に、前記案内部材３、前記バブリング部材４及び前記蓋部材５を、同心円状に配設するものであり、組立や分解を簡単に行うことができ、コンパクトで取り扱いが容易なものである。ここで、前記バブリング部材４を、予め前記案内部材３の支持部３４上に取り付けるなど、前記支持部３４上に配置しておけば、効率よく組み立てることができる。
【００５４】
また、本実施の形態における気体浄化装置は、前記浄化装置本体２が透明な耐熱性樹脂材により形成されているため、内部の汚染状況を確認することができ、清掃やメンテナンスを適時に行うことができる。
なお、前記浄化装置本体２は、外枠２１をステンレス等の金属により形成することもできる。その場合、前記外枠２１には、耐熱ガラス等の窓を設け、内部を観察できるようにすればよい。
【００５５】
次に、図８は、図１のＢ−Ｂ断面図を示す。また、図９は図８のＤ−Ｄ断面図、図１０は図８のＥ−Ｅ断面図を示す。
【００５６】
本実施の形態における気体浄化装置１は、前記第二の空間３６を周方向に複数の領域に仕切る板状の仕切部材６をさらに備える。
図８乃至図１０に示すように、前記第二の空間３６は、二枚の仕切部材６によって、前記案内枠３１の下端に形成される切り欠き３３と前記浄化装置本体２の底部２２との間に形成される開口３７を介して前記第一の空間３５と連通する浄化領域３６１と、前記第一の空間３５と前記浄化領域３６１とを連通させる開口３７よりも高さの低い開口３８を介して前記第一の空間３５と連通する非浄化領域３６２に区画されている。ここで、前記第一の空間３５と前記浄化領域３６１とを連通させる開口３７よりも高さの低い開口３８とは、図８に示すとおり、当該開口３８における最上部の高さ位置が、前記第一の空間３５と前記浄化領域３６１とを連通させる開口３７における最上部の高さ位置よりも低い開口を意味する。また、前記バブリング部材４は、円弧形状であって前記浄化領域３６１にのみ配設されている。
【００５７】
前記蓋部材５には、図１、図８及び図１０に示すように、頂部５１の外周側であって気液分離部５２の外周に沿った状態で給液用凹部５７が形成されており、図示しない液体供給源から前記給液用凹部５７に液体が供給され、当該給液用凹部５７に貯留される液体を、該給液用凹部５７の底面に形成される孔５８からチューブ５９を介して供給できる構成とされている。
【００５８】
そして、前記蓋部材５は、前記気液分離部５２の下端が前記案内部材３の頂部３２上面に載置されるとともに前記給液用凹部５７が前記第二の空間３６の非浄化領域３６２に位置する状態で前記浄化装置本体２内に同心円状に配設されて、該蓋部材５の頂部５１により前記外枠２１の上部開口を閉鎖する。
【００５９】
図１１は、図８において汚染された気体を浄化する様子の説明図であって、矢印は気体の流れを示す。また、図１１は図８と同じ方向から見た断面図であり、ここでは符号の記載を省略する。
図示しないファン等の駆動により、気体浄化装置１の上方から前記蓋部材５の頂部５１に形成される開口を介して前記浄化装置本体２内に負圧を作用させ、該浄化装置本体２の底部２２に形成される開口を通して前記吸気筒２３から汚染された気体を吸入する。
【００６０】
前記吸気筒２３から吸入された気体は、前記第一の空間３５内において前記液体中に導入され、気泡状となって前記開口３７から前記第二の空間３６における浄化領域３６１に移動する。
そして、前記第二の空間３６における浄化領域３６１に移動した気泡状の気体は、前記液体中において前記バブリング部材４を構成する板状部材４１，４２の小孔４３，４３を通過して浄化され、前記蓋部材５の気液分離部５２を通過して当該蓋部材５の頂部５１に形成される開口から外部に排出される。
【００６１】
一方、前記第二の空間３６における非浄化領域３６２は、前記第一の空間３５と前記浄化領域３６１とを連通させる開口３７よりも高さの低い開口３８を介して前記第一の空間３５と連通する。
したがって、前記非浄化領域３６２は、前記第一の空間３５との間において液体の移動は自由に行われるものの、前記第一の空間３５内において前記液体中に導入されて気泡状となった気体が侵入することがなく、当該非浄化領域３６２における液面の変動が抑止されるため、気体の浄化中でも当該非浄化領域３６２において前記第二の空間３６内における液体の液位を確認することができる。
【００６２】
また、前記非浄化領域３６２に図示しないフロートスイッチ等の液位検知手段を設けるとともに、当該液位検知手段による液位の検知に基づいて、図示しない液体給液源から前記給液用凹部５７に液体を供給することとすれば、気体の浄化中においても、前記第二の空間３６内における液体の液位が常に前記バブリング部材４よりも上方位置となるよう、前記非浄化領域３６２に前記液体を自動で給液することができる。
したがって、前記第二の空間の浄化領域３６１に移動した気体を、前記液体中において確実に前記バブリング部材４の小孔を通過させてバブリングさせ浄化することができる。
【００６３】
前記蓋部材５は、前記給液用凹部５７が頂部５１の外周側であって気液分離部５２の外周に沿った状態で形成されているため、前記非浄化領域３６２と前記頂部５１の中央に形成される開口との連通をほぼ遮断することができる。
したがって、気体浄化装置１の上方から前記蓋部材５の頂部５１に形成される開口を介して前記浄化装置本体２内に負圧を作用させた場合でも、前記非浄化領域３６２内には上方からほとんど負圧が作用しないため、前記第一の空間３５と前記浄化領域３６１とを連通させる開口３７よりも高さの低い開口３８を介して当該非浄化領域３６２と前記第一の空間３５とが連通することと相俟って、前記第一の空間３５内において前記液体中に導入された気体が前記非浄化領域３６２へ侵入することをより確実に防ぐことができる。
【００６４】
なお、前記給液用凹部５７によるのでなく、前記蓋部材５に仕切りを形成することで、前記非浄化領域３６２と前記蓋部材５の頂部５１中央に形成される開口との連通を遮断できることはいうまでもない。
また、前記給液用凹部５７を設けることなく、図示しない液体供給源から直接、前記非浄化領域に液体を給液することもできる。
【００６５】
上記本実施の形態では、前記第一の空間３５と前記浄化領域３６１とを連通させる開口３７よりも高さの低い開口３８を介して前記非浄化領域３６２と前記第一の空間３５を連通させることとしたが、前記仕切部材６の下端に切り欠きを形成することで、前記第一の空間３５と前記浄化領域３６１とを連通させる開口３７よりも高さの低い開口を介して前記非浄化領域３６２と前記浄化領域３６１を連通させることとしてもよい。
そして、その場合、前記非浄化領域３６２は、前記第一の空間３５と前記浄化領域３６１の両方と連通することとしてもよいし、前記第一の空間３５と前記浄化領域３６１のいずれかとのみ連通することとしてもよい。
【００６６】
また、前記第一の空間３５と前記浄化領域３６１とを連通させる開口３７、前記第一の空間３５と前記非浄化領域３６２とを連通させる開口３８、及び前記浄化領域３６１と前記非浄化領域３６２とを連通させる開口は、浄化装置本体２の底部２２付近であって前記バブリング部材４よりも下方にあればよく、例えば案内枠３１や仕切部材６の下方に形成される横長の孔（開口）とするなど、必ずしも前記底部２２が前記開口の一部を構成する必要はない。
【００６７】
さらに、上記実施の形態は、前記第二の空間３６を周方向に二つの領域に仕切るものであったが、例えば四つの領域に仕切り、浄化領域と非浄化領域を交互に配置することとしてもよい。
【００６８】
図１２は、本発明の実施の形態における気体浄化装置の変形例の説明図（断面図）を示す。
図１２に示す気体浄化装置は、図２に示す気体浄化装置において、前記バブリング部材４と前記気液分離部５２との間の空間、ここでは前記気液分離部５２における環状部材５６の外周に水滴飛散防止板５３を配設するものである。
【００６９】
図１２に示す気体浄化装置は、前記バブリング部材４を通過して油分等の不純物が除去され、浄化された気体を、前記水滴飛散防止板５３を迂回させて前記気液分離部５２に誘導することで、前記飛散し油分等の不純物を含むものとなった液体が、前記浄化された気体とともに外部に排出されることを防ぐ効果を高めることができる。
【００７０】
ここで、前記水滴飛散防止板５３は、前記第二の空間３６を上昇する浄化された気体を迂回させるものであればよく、配設される場所も前記環状部材５６の外周に限定されない。
【００７１】
図１３は、本発明の実施の形態における気体浄化装置の使用例であって、空気浄化システムの説明図を示す。
本実施の形態における気体浄化装置は、例えばフードを用いないフライヤー（フードレス・フラーヤー）から立ち上る油煙等の除去装置として使用することができる。
【００７２】
図１３に示す空気浄化システム１００は、出口部に図示しないファンを有する排気ダクト１０１と、前記排気ダクト１０１の入口部に設けられる装着枠１０２と、フライヤー等から立ち上る油煙等を集める集気ホッパ１０３から大略構成される。
【００７３】
前記装着枠１０２は、前記集気ホッパ１０３に連通する開口を有する底板、前記気体浄化装置１を側方から着脱自在に装着可能とする開口を有する側板、前記排気ダクト１０１に連通する開口を有する天板、を有し、前記側板には、前記内部に装着される気体浄化装置１を目視可能とする切り欠き窓１０５が形成される。
また、前記気体浄化装置１は、把手を有するホルダ１０４により保持される。
【００７４】
そして、図１３に示すように、前記装着枠１０２に前記気体浄化装置１が装着された状態の空気浄化システム１００は、フライヤー等から立ち上る油煙等を、前記集気ホッパ１０３により集気し、前記装着枠１０２の底板の開口を通して前記気体浄化装置１内へ吸入し、該気体浄化装置１内で浄化した気体を、前記装着枠１０２の天板の開口を通して前記排気ダクト１０１から外部へ排出する。
【００７５】
このとき、前記気体浄化装置１によれば、気体の浄化中でも前記非浄化領域３６２において前記第二の空間３６内における液体の液位を確認することができる。
また、前記気体浄化装置１が、前記浄化装置本体２内に自動で給液できる構成であれば、給液のためのメンテナンスを行う必要がない。
【００７６】
本例において、前記気体浄化装置１は、把手を有するホルダ１０４に保持されるから、これを扱う作業者は、前記装着枠１０２への取り付けや取り外しを容易に行うことができる。
なお、前記気体浄化装置１は、把手を有するホルダ１０４に保持させることに代えて、浄化装置本体２に直接把手を設けるものとすることもできる。
また、前記装着枠１０２は透明な耐熱性樹脂材等により形成することができる。その場合、該装着枠１０２の側板には前記切り欠き窓１０５を形成する必要はない。
【００７７】
本発明の実施の形態における気体浄化装置は、水平な断面が円形状からなる各部材を同心円状に組み合わせて構成することとしたが、各部材が同心軸上に配設されるものであれば前記断面形状は円形に限るものでなく、例えば四角形とすることもできる。
【００７８】
本発明の実施の形態における気体浄化装置において、浄化装置本体２の外枠２１と吸気筒２３との間に貯留する液体は、代表的には水を用いるが、それ以外の液体を用いても良い。また、前記液体には、例えば界面活性剤等の成分を含有させてもよい。液体が界面活性剤を含有するものであれば、親油性の臭気を溶かし込むことができる。
【００７９】
本発明の実施の形態における気体浄化装置において、浄化する気体は、代表的には厨房から発生する油煙等の汚染された空気であるが、それ以外の場所で、それ以外の気体を浄化することもできる。
【００８０】
本発明の気体浄化装置は、上記実施の形態に限定されることなく、本発明の範囲を逸脱しない限りにおいて、その構成を適宜変更できることはいうまでもない。
【産業上の利用可能性】
【００８１】
本発明の気体浄化装置は、コンパクトで取り扱いが容易なものであり、例えばフライヤー等の厨房設備から発生する油煙等から油分等の不純物を除去する装置として、実用性が極めて高い。
【符号の説明】
【００８２】
１      気体浄化装置
２      浄化装置本体
２１      円筒状の外枠
２２      底部
２３      吸気筒
３      案内部材
３１      円筒状の案内枠
３２      頂部
３３      切り欠き
３４      支持部
３５      第一の空間
３６      第二の空間
３６１      浄化領域
３６２      非浄化領域
３７      開口
３８      開口
４      バブリング部材
４１，４２    板状部材
４３      小孔
５      蓋部材
５１      頂部
５２      気液分離部
５３      水滴飛散防止板
５４      液体漏出防止部
５５      板状部材
５６      環状部材
５７      給液用凹部
５８      孔
５９      チューブ
６      仕切部材
１００      空気浄化システム
１０１      排気ダクト
１０２      装着部
１０３      集気ホッパ
１０４      ホルダ
１０５      切り欠き窓
【図１】
2014144385.tif 000003
【図２】
2014144385.tif 000004
【図３】
2014144385.tif 000005
【図４】
2014144385.tif 000006
【図５】
2014144385.tif 000007
【図６】
2014144385.tif 000008
【図７】
2014144385.tif 000009
【図８】
2014144385.tif 000010
【図９】
2014144385.tif 000011
【図１０】
2014144385.tif 000012
【図１１】
2014144385.tif 000013
【図１２】
2014144385.tif 000014
【図１３】
2014144385.tif 000015